(57)【要約】【課題】異なるモードのＳＯＦ（Start Of Frame）を簡便な構成で検出できるようにする。【解決手段】取得した信号から、所定の成分の信号を抽出する抽出部と、前記抽出部により抽出された信号から、第１の時間の変調区間と第２の時間の無変調区間を検出したとき、復号のタイミングを決定する検出部とを備える。検出部は、国際規格ISO/IEC15693におけるＳＯＦ（Start Of Frame）を検出することができるように構成することができる。例えば抽出部は、搬送波磁界の周波数をfcとしたとき、fc/32の成分を抽出するように構成することができる。本技術は、RFタグに適用できる。【選択図】図５
2014143629.tif 000002
【特許請求の範囲】
【請求項１】
取得した信号から、所定の成分の信号を抽出する抽出部と、
前記抽出部により抽出された信号から、第１の時間の変調区間と第２の時間の無変調区間を検出したとき、復号のタイミングを決定する検出部と
を備える信号処理装置。
【請求項２】
前記検出部は、国際規格ISO/IEC15693におけるＳＯＦ（Start Of Frame）を検出する
請求項１に記載の信号処理装置。
【請求項３】
前記抽出部は、搬送波磁界の周波数をfcとしたとき、fc/32の成分を抽出する
請求項１に記載の信号処理装置。
【請求項４】
前記抽出部は、搬送波磁界の周波数をfcとしたとき、fc/32の成分を抽出する第１の抽出部と、fc/28の成分を抽出する第２の抽出部を備え、
前記検出部は、前記第１の抽出部からの信号と前記第２の抽出部からの信号の差分からなる信号から、前記第１の時間の変調区間と前記第２の時間の無変調区間を検出する
請求項１に記載の信号処理装置。
【請求項５】
前記抽出部は、搬送波磁界の周波数をfcとしたとき、fc/32の成分を除去した信号を抽出する第１の抽出部と、fc/28の成分を除去した信号を抽出する第２の抽出部を備え、
前記検出部は、前記第１の抽出部からの信号と前記第２の抽出部からの信号の差分からなる信号から、前記第１の時間の変調区間と前記第２の時間の無変調区間を検出する
請求項１に記載の信号処理装置。
【請求項６】
前記第１の時間と前記第２の時間のうちの、少なくとも一方は、所定の時間幅を有し、その所定の時間幅内に、前記第１の時間または前記第２の時間が収まっている場合には、前記変調区間または前記無変調区間を検出したと処理する
請求項１に記載の信号処理装置。
【請求項７】
取得した信号から、所定の成分の信号を抽出し、
抽出された信号から、第１の時間の変調区間と第２の時間の無変調区間を検出したとき、復号のタイミングを決定する
ステップを含む信号処理方法。
【請求項８】
取得した信号から、所定の成分の信号を抽出し、
抽出された信号から、第１の時間の変調区間と第２の時間の無変調区間を検出したとき、復号のタイミングを決定する
ステップを含む処理を実行するコンピュータが読み取り可能なプログラムが記録されている記録媒体。
【発明の詳細な説明】
【技術分野】
【０００１】
本技術は、信号処理装置、信号処理方法、並びに記録媒体に関する。詳しくは、所定の信号を検出し、処理できるようにする信号処理装置、信号処理方法、並びに記録媒体に関する。
【背景技術】
【０００２】
近年、RFID（Radio Frequency Identification）（無線周波数識別）システムが普及しつつある。RFIDシステムは、機器、荷物、人間、生物等の個体を識別する情報(識別情報)を、ＲＦタグと呼ばれる装置によって、個体に付加するシステムである。このRFIDシステムでは、リーダ/ライタと呼ばれる無線トランシーバとタグとの間で、無線通信が行われる。
【０００３】
一般に、RFIDは、内蔵されている半導体メモリにデータを記憶し、半導体メモリのデータを読み出して、誘導電磁界または電波を介した近距離通信で、読み出したデータを送信するか、または、送信されてきたデータを受信して、受信したデータを半導体メモリに書き込む。特に、RFIDからデータを読み出す装置はリーダと称され、RFIDにデータを書き込む装置はライタと称される。一般に、記憶されているデータを少なくとも読み出しすることができるRFIDである情報媒体は、ＲＦタグと称される。
【０００４】
RFIDは、アンテナおよび半導体メモリを含む半導体集積回路チップからなり、アンテナによって電波を受信する。RFIDは、受信した電波、またはリーダ若しくはライタとの電磁結合により、動作に必要な電力を発生させるものもある。リーダと通信するRFIDは、記憶されているデータに応じて、変化させた反射波を発生させ（電磁結合の負荷を変化させることにより）、データをリーダに読み取らせる。
【０００５】
なお、ＲＦタグは、データキャリア、トランスポンダ、スマートカード、インテリタグ、無線ＩＣタグ、および非接触式ＩＣタグなどとも称されている。
【０００６】
RFIDシステムのリーダは、ＲＦタグから伝送される信号に含まれる、例えば、先頭のデータフレーム（ＳＯＦ：Start Of Frame）を表す信号パターンを検出する機能を有する。RFIDシステムの規格によっては、ＳＯＦなどに２つの異なる信号パターンが用意されている規格がある。例えば、国際標準ISO15693に従うＳＯＦの信号パターンには、One SubcarrierとTwo Subcarrierの２つのパターンが用意されている。
【０００７】
特許文献１においては、One Subcarrierに対応するＳＯＦを検出する装置についての記載がある。特許文献１においては、受信信号と本来のＳＯＦのパターンとの間で相互相関関数を求め、その値がピークに達する時刻から、ＳＯＦのタイミングを検出する方式を提示している。
【先行技術文献】
【特許文献】
【０００８】
【特許文献１】特表２００９−５０８３８４号公報
【発明の概要】
【発明が解決しようとする課題】
【０００９】
しかしながら、相互相関関数の計算には多くの計算量が必要とされる。さらに、この方式では、２パターン用意されているＳＯＦの両モードに対応する、それぞれ異なるＳＯＦの検出手段が必要となる。これらのことから、回路規模が増大や、消費電力の増大などの懸念がある。
【００１０】
一方で、近年では、NFC対応ＩＣチップの一機能としてRFIDリーダ/ライタが組み込まれる機会が増えている。普及に伴い、RFIDリーダ/ライタの消費電力や回路規模のさらなる削減などが望まれている。
【００１１】
本技術は、このような状況に鑑みてなされたものであり、異なるパターンの信号を処理でき、消費電力や回路規模のさらなる削減を行うことができるようにするものである。
【課題を解決するための手段】
【００１２】
本技術の一側面の信号処理装置は、取得した信号から、所定の成分の信号を抽出する抽出部と、前記抽出部により抽出された信号から、第１の時間の変調区間と第２の時間の無変調区間を検出したとき、復号のタイミングを決定する検出部とを備える。
【００１３】
前記検出部は、国際規格ISO/IEC15693におけるＳＯＦ（Start Of Frame）を検出するようにすることができる。
【００１４】
前記抽出部は、搬送波磁界の周波数をfcとしたとき、fc/32の成分を抽出するようにすることができる。
【００１５】
前記抽出部は、搬送波磁界の周波数をfcとしたとき、fc/32の成分を抽出する第１の抽出部と、fc/28の成分を抽出する第２の抽出部を備え、前記検出部は、前記第１の抽出部からの信号と前記第２の抽出部からの信号の差分からなる信号から、前記第１の時間の変調区間と前記第２の時間の無変調区間を検出するようにすることができる。
【００１６】
前記抽出部は、搬送波磁界の周波数をfcとしたとき、fc/32の成分を除去した信号を抽出する第１の抽出部と、fc/28の成分を除去した信号を抽出する第２の抽出部を備え、前記検出部は、前記第１の抽出部からの信号と前記第２の抽出部からの信号の差分からなる信号から、前記第１の時間の変調区間と前記第２の時間の無変調区間を検出するようにすることができる。
【００１７】
前記第１の時間と前記第２の時間のうちの、少なくとも一方は、所定の時間幅を有し、その所定の時間幅内に、前記第１の時間または前記第２の時間が収まっている場合には、前記変調区間または前記無変調区間を検出したと処理するようにすることができる。
【００１８】
本技術の一側面の信号処理方法は、取得した信号から、所定の成分の信号を抽出し、抽出された信号から、第１の時間の変調区間と第２の時間の無変調区間を検出したとき、復号のタイミングを決定するステップを含む。
【００１９】
本技術の一側面の記録媒体は、取得した信号から、所定の成分の信号を抽出し、抽出された信号から、第１の時間の変調区間と第２の時間の無変調区間を検出したとき、復号のタイミングを決定するステップを含む処理を実行するコンピュータが読み取り可能なプログラムが記録されている。
【００２０】
本技術の一側面の信号処理装置、信号処理方法、並びに記録媒体においては、取得した信号から、所定の成分の信号が抽出され、抽出された信号から、第１の時間の変調区間と第２の時間の無変調区間が検出されたとき、復号のタイミングが決定される。
【発明の効果】
【００２１】
本技術の一側面によれば、異なるパターンの信号を処理することができる。また、異なるパターンの信号を処理する際の消費電力や回路規模を削減することが可能となる。
【図面の簡単な説明】
【００２２】
【図１】無線通信システムの構成を示す図である。
【図２】システム内で送受信される信号について説明するための図である。
【図３】システム内で送受信される信号について説明するための図である。
【図４】システム内で送受信される信号について説明するための図である。
【図５】本技術を適用した復調部の一実施の形態の構成を示す図である。
【図６】ＳＯＦの検出について説明するための図である。
【図７】本技術を適用した復調部の一実施の形態の構成を示す図である。
【図８】ＳＯＦの検出について説明するための図である。
【図９】ＳＯＦの検出について説明するための図である。
【図１０】本技術を適用した復調部の一実施の形態の構成を示す図である。
【図１１】ＳＯＦの検出について説明するための図である。
【図１２】ＳＯＦの検出について説明するための図である。
【図１３】記録媒体について説明するための図である。
【発明を実施するための形態】
【００２３】
以下に、本技術を実施するための形態（以下、実施の形態という）について説明する。なお、説明は、以下の順序で行う。
１．システムの構成
２．送受信される信号について
３．第１の実施の形態においける復調部の構成および処理
４．第２の実施の形態においける復調部の構成および処理
５．第３の実施の形態においける復調部の構成および処理
６．記録媒体について
【００２４】
＜システムの構成＞
図１は、無線通信システムを構成するＲＦタグおよびリーダについて説明する図である。すなわち、図１は、無線通信システムを構成し、無線通信によりデータを送受信するリーダおよびＲＦタグの構成を説明するブロック図である。
【００２５】
図１に示した無線通信システムは、リーダ１１とＲＦタグ１２から構成されている。リーダ１１は、アンテナ３１、変調部３２、復調部３３、制御部３４、記憶部３５、および出力部３６を備える構成とされている。ＲＦタグ１２は、アンテナ４１、電力発生部４２、変調部４３、復調部４４、制御部４５、および記憶部４６を備える構成とされている。
【００２６】
リーダ１１は、無線通信により、ＲＦタグ１２あてにデータの送信を要求する旨の信号（以下、要求信号と称する）を送信する。ＲＦタグ１２は、リーダ１１から送信されてきた、要求信号を受信する。ＲＦタグ１２は、受信した要求信号に応じて、無線通信により、リーダ１１あてにデータを送信する。そして、リーダ１１は、ＲＦタグ１２から送信されてきたデータを受信する。
【００２７】
リーダ１１の制御部３４は、リーダ１１全体を制御する。例えば、制御部３４は、要求信号を生成し、生成した要求信号を変調部３２に供給する。変調部３２は、制御部３４から供給された要求信号を所定の変調方式により変調する。アンテナ３１は、変調された要求信号を、無線通信により、ＲＦタグ１２あてに送信する。すなわち、アンテナ３１は、要求信号を伝送する電波（電磁波）を輻射する。
【００２８】
ＲＦタグ１２のアンテナ４１は、アンテナ３１から送信されてきた要求信号を受信する。要求信号が受信されると、電力発生部４２は、要求信号を受信することによって、アンテナ４１において励起された交流の起電力を基に直流電力を発生し、発生した直流電力をＲＦタグ１２の各部に供給する。
【００２９】
より詳細には、アンテナ３１は、リーダ１１が、ＲＦタグ１２と無線通信を行っている間、電波を輻射し続ける。アンテナ４１は、輻射された電波を受信して、起電力を継続して発生する。電力発生部４２は、アンテナ４１において発生した起電力を基に、直流電力を発生させ、ＲＦタグ１２の各部に、ＲＦタグ１２が駆動するのに必要な直流電力を供給し続ける。
【００３０】
リーダ１１およびＲＦタグ１２は、電磁結合し、リーダ１１は、電磁結合を介してＲＦタグ１２に電力を供給するようにしてもよい。
【００３１】
この場合、ユーザが、リーダ１１をＲＦタグ１２に近づけることにより、アンテナ３１およびアンテナ４１は電磁結合する。ＲＦタグ１２の電力発生部４２は、電磁結合を介して、アンテナ３１の交流電流に応じて発生したアンテナ４１に流れる交流電流を整流し、安定化させることによって直流電力を発生させる。電力発生部４２は、発生させた直流電力をＲＦタグ１２の各部に供給する。
【００３２】
ＲＦタグ１２のアンテナ４１は、受信した要求信号を復調部４４に供給する。復調部４４は、供給された要求信号を、リーダ１１の変調部３２の変調方式に対応する復調方式により復調する。制御部４５は、復調された要求信号を基に、記憶部４６からデータを読み込み（取得し）、読み込んだデータを変調部４３に供給する。記憶部４６は、各種のデータを記憶している。
【００３３】
変調部４３は、制御部４５から供給されたデータを所定の方式により変調し、変調したデータをアンテナ４１に供給する。アンテナ４１は、変調されたデータを、無線通信により、リーダ１１あてに送信する。
【００３４】
リーダ１１のアンテナ３１は、ＲＦタグ１２から送信されてきたデータを受信し、復調部３３は、受信されたデータを、変調部４３の変調方式に対応する復調方式により復調する。
【００３５】
例えば、アンテナ３１およびアンテナ４１が電磁結合する場合、変調部４３は、送信するデータに応じて、アンテナ４１の負荷を時間的に変化させる。すると、アンテナ３１には、データに応じた、時間的に変化する起電力（電圧）が生じることになる。復調部３３は、アンテナ３１に生じた時間的に変化する電圧からなる信号を復調して、復調することにより得られたデータを記憶部３５に供給する。
【００３６】
記憶部３５は、復調部３３によって復調されたデータを記録し、制御部３４は、記憶部３５から、記憶部３５に記録されているデータを読み出して、読み出したデータを出力部３６に供給する。出力部３６は、制御部３４から供給されたデータを基に、例えば、画像などを表示する。
【００３７】
このようにして、リーダ１１およびＲＦタグ１２は、無線通信を行い、リーダ１１は、所望のデータをＲＦタグ１２から受信する。
【００３８】
なお、本実施の形態では、リーダ１１とＲＦタグ１２が電磁結合を介して通信を行うようにしたが、これに限らず、RFIDと同様の原理に基づく通信方式であれば、他の媒体を介してもよい。
【００３９】
＜送受信される信号について＞
図１に示した無線通信システムにおいて送受信される信号について説明を加える。上記したように、RFIDシステムにおけるリーダ１１は、自身の発する搬送波磁界が、ＲＦタグ１２の負荷変調によって振幅変調されたことを検知して、受信した信号を復調する。
【００４０】
搬送波磁界の周波数をfcとすると、国際規格ISO/IEC15693では、fc/32の副搬送波のみを使う（１つのサブキャリを使用する）“One subcarrier”と、fc/32およびfc/28の副搬送波を使う（２つのサブキャリアを使用する）“Two subcarriers”の二つのモードが規定されている。そして、これら二つのモードそれぞれに対し、１ビットの情報をあらわす“Logic 0”と“Logic 1”のパターンが定義されている。
【００４１】
図２は、“One subcarrier”の場合の“Logic 0”と“Logic 1”のパターンをそれぞれ示す波形であり、図３は、“Two subcarriers”の場合の“Logic 0”と“Logic 1”のパターンをそれぞれ示す波形である。
【００４２】
１つのサブキャリアを使用するときの“０”を表すビットは、図２Ａに示すようにコーディング（変調）される。図２Ａに示した１つのサブキャリを使用するときのLogic 0は、18.88μs のfc/32（=423.75kHz）の８パルスから始まり、256/fc（18.58μs）の非変調時間が続く信号である。
【００４３】
１つのサブキャリアを使用するときの“１”を表すビットは、図２Ｂに示すようにコーディング（変調）される。図２Ｂに示した１つのサブキャリを使用するときのLogic 1は、256/fc（18.88μs）の非変調時間から始まり、18.88μs のfc/32（=423.75kHz）の８パルスが続く信号である。
【００４４】
２つのサブキャリアを使用するときの“０”を表すビットは、図３Ａに示すようにコーディング（変調）される。図３Ａに示した２つのサブキャリを使用するときのLogic 0は、18.88μs のfc/32（=423.75kHz）の８パルスから始まり、18.58μsのfc/28（=484.28kHz）の９パルスが続く信号である。
【００４５】
２つのサブキャリアを使用するときの“１”を表すビットは、図３Ｂに示すようにコーディング（変調）される。図３Ｂに示した２つのサブキャリを使用するときのLogic 1は、18.58μsのfc/28（=484.28kHz）の９パルスから始まり、18.88μs のfc/32（=423.75kHz）の８パルスが続く信号である。
【００４６】
一方、これらのパターンとは別に、通信開始のタイミングを示すSOF(Start of frame)が定義されている。図４Ａは、“One subcarrier”の場合のＳＯＦを示す波形であり、図４Ｂは、“Two subcarriers”の場合のＳＯＦを示す波形である。
【００４７】
１つのサブキャリアを使用するときのＳＯＦは、図４Ａに示すようにコーディング（変調）される。図４Ａに示した１つのサブキャリを使用するときのＳＯＦのパターンは、３つの部分を備えている。この３つの部分とは、56.64μsの非変調時間部分、これに続く56.64μs のfc/32（=423.75kHz）のパルス２４個分の部分、および37.76μsの図２Ｂに示したLogic 1の部分である。このＳＯＦパターンの長さは、図２Ａまたは図２Ｂに示したデータビットの４個分の長さに相当する。
【００４８】
２つのサブキャリアを使用するときのＳＯＦは、図４Ｂに示すようにコーディング（変調）される。図４Ｂに示した１つのサブキャリを使用するときのＳＯＦのパターンは、３つの部分を備えている。この３つの部分とは、55.75μsのfc/28（=484.28kHz）の部分、これに続く56.64μs のfc/32（=423.75kHz）のパルス２４個分の部分、および37.46μsの図３Ｂに示したLogic 1の部分である。このＳＯＦパターンの長さは、図３Ａまたは図３Ｂに示したデータビットの約４個分の長さに相当する。
【００４９】
これらのＳＯＦを検出することによって、それ以降のビット情報系列の検出が初めて可能になる。したがって、リーダ１１（図１）は、ＳＯＦを高精度のタイミングで検出することが重要である。また、“One subcarrier”の場合のＳＯＦと、“Two subcarriers”の場合のＳＯＦの２つのＳＯＦのパターンを検出する必要がある。
【００５０】
そこで、２つのＳＯＦのパターンを検出でき、かつ高精度のタイミングで検出できる復調部について説明を加える。
【００５１】
＜第１の実施の形態においける復調部の構成および処理＞
図５は、第１の実施の形態におけるリーダ１１の復調部３３の構成を示す図である。復調部３３は、検波部１０１、Ａ／Ｄ（Analog/Digital）変換部１０２、デジタルフィルタ１０３、検波部１０４、ビット復号部１０５、およびＳＯＦ検出部１０６を含む構成とされている。
【００５２】
アンテナ３１で受信されたＲＦ信号は、検波部１０１で同期検波もしくは包絡線検波され、Ａ／Ｄ変換部１０２に出力される。Ａ／Ｄ変換部１０２によりデジタル信号に変換された信号は、デジタルフィルタ１０３に供給される。デジタルフィルタ１０３は、所定の周波数の信号を除去または通過させるフィルタであり、例えば、ＦＩＲ（Finite Impulse Response）デジタルフィルタやＩＩＲ（Infinite Impulse Response）デジタルフィルタで構成される。
【００５３】
デジタルフィルタ１０３は、ここでは、fc/32の副搬送波成分のみを取り出すフィルタである場合を例にあげて説明する。デジタルフィルタ１０３により、fc/32の副搬送波成分以外の不要な周波数成分が除かれるため、信号の品質、例えば、Ｓ／Ｎ比を向上させることができる。
【００５４】
デジタルフィルタ１０３からの出力は、検波部１０４に供給される。検波部１０４は、デジタルフィルタ１０３からの信号を同期検波または包絡線検波し、ビット復号部１０５とＳＯＦ検出部１０６に出力する。
【００５５】
ＳＯＦ検出部１０６は、検波部１０４からの信号が、ＳＯＦを示す信号であるか否かを判断する。ＳＯＦ検出部１０６によりＳＯＦが検出された場合、その検出されたＳＯＦのタイミングを基準として、ビット復号部１０５は、検波部１０４からの信号のビット復号を行う。
【００５６】
ここで、図６を参照してＳＯＦ検出部１０６におけるＳＯＦの検出について説明する。図６Ａは、復調部３３に入力された“One subcarrier”の場合のＳＯＦの波形を示し、図６Ｂは、検波部１０４からＳＯＦ検出部１０６に供給される信号の波形を示す。図６Ａに示した波形は、図４Ａに示した波形であり、既に説明したが、説明のために部分ａ乃至ｄの４つの部分に分け、再度説明を加える。
【００５７】
“One subcarrier”の場合のＳＯＦは、56.64μsの非変調時間部分である部分ａ、これに続く56.64μs のfc/32（=423.75kHz）のパルス２４個分の部分ｂ、および37.76μsの図２Ｂに示した“One subcarrier”のときのLogic 1の部分である。このLogic 1の部分は、256/fc（18.88μs）の非変調時間の部分ｃと、18.88μs のfc/32（=423.75kHz）のパルス８個分が続く部分ｄから構成される。
【００５８】
検波部１０４は、fc/32の副搬送波成分のみを取り出すフィルタである。よって、図６Ａに示したようなＳＯＦの信号が検波部１０４の処理対象とされた場合、fc/32の成分が抽出されるため、部分ｂと部分ｄが抽出されることになる。すなわち、図６Ｂに示したように、部分ｂと部分ｄの部分に振幅を有する信号が検波部１０４からＳＯＦ検出部１０６に供給される。
【００５９】
図６Ｂに示した波形は、図６Ａに示した波形と同じく、部分ｂと部分ｄの部分に振幅を有する（１と判断される値を有する）信号である。このような信号がＳＯＦ検出部１０６に供給された場合、ＳＯＦ検出部１０６は、ＳＯＦを検出したと判断し、ビット復号部１０５に対して復号のタイミングを指示する。
【００６０】
ところで、部分ａの部分は、非変調な部分であり、振幅がないため、実際には、部分ａの開始点を検出することは困難である。部分ｂの開始点、すなわち、部分ａの終了点から検出が可能となる。ＳＯＦ検出部１０６は、検波部１０４からの信号が部分ｂと部分ｃを有するか否かを判断することで、ＳＯＦを検出したか否かを判断する。
【００６１】
部分ｂの検出は、56.64μsの間、信号が継続して検出できたか否かを判断することで行うことができる。また部分ｃの検出は、部分ｂの終了点から部分ｄの開始点までの間に、18.88μsの無信号の区間を検出することで行うことができる。すなわちＳＯＦ検出部１０６は、検波部１０４からの信号が、56.64μsの信号の後に、18.88μsの無信号を検出したとき、ＳＯＦを検出したと判断する。ＳＯＦが検出されたと判断された場合、ビット復号部１０５は、ＳＯＦの終了タイミングを、これ以降使うタイミングの基準として設定する。
【００６２】
なお、受信される信号には、ノイズなどが重畳され、必ずしも、56.64μsの信号部分や、18.88μsの無信号部分を検出できるわけではない。よって、56.64μsを含む時間幅、例えば、56.64μｓを中心とした所定の時間幅を設け、その所定の時間幅内に収まる信号部分が検出された場合、部分ｂを検出したと判断されるようにしても良い。また同じく、18.88μsを含む時間幅、18.88μｓを中心とした所定の時間幅を設け、その所定の時間幅に収まる無信号部分が検出された場合、部分ｃを検出したと判断されるようにしても良い。
【００６３】
このようにした場合、ＳＯＦ検出部１０６は、検波部１０４からの信号が、変調区間が第１の時間幅内である信号であり、その後、無変調区間が第２の時間幅内である信号を検出した場合、ＳＯＦを検出したと判断するように構成することができる。このように、検出される信号の時間に対する誤差の範囲を設定し、その誤差の範囲内であれば、ＳＯＦを検出したと判断されるようにすることで、以下に説明する“Two Subcarrier“のときのＳＯＦも検出できるようになる。
【００６４】
なお、第１の時間幅や第２の時間幅のうち、どちらか一方のみに幅を持たせるようにしても良い。また、第１の時間幅と第２の時間幅を加算した第３の時間幅を設け、変調区間と無変調区間を加算した時間が、第３の時間幅内に収まっているとき、ＳＯＦを検出したと判断されるようにしても良い。
【００６５】
なお、上記した部分ｂの56.64μｓという時間は、1.5ビット分の長さであり、部分ｃの18.88μｓという時間は、0.5ビット分の長さである。よって、ＳＯＦ検出部１０６は、検波部１０４からの信号が、1.5ビットに所定の幅を持たせたビット分の第１の時間内だけ、継続して信号を検出し、その後、0.5ビットに所定の幅を持たせたビット分の第２の時間内だけ、無信号を検出した場合、ＳＯＦを検出したと判断するように構成することができる。
【００６６】
図６Ｃは、復調部３３に入力された“Two subcarrier”の場合のＳＯＦの波形を示し、図６Ｄは、検波部１０４からＳＯＦ検出部１０６に供給される信号の波形を示す。図６Ｃに示した波形は、図４Ｂに示した波形であり、既に説明したが、説明のために部分ａ乃至ｄの４つの部分に分け、再度説明を加える。
【００６７】
“Two subcarrier”の場合のＳＯＦは、55.75μsのfc/28（=484.28kHz）の部分ａ、これに続く56.64μs のfc/32（=423.75kHz）のパルス２４個分の部分ｂ、および37.46μsの図３Ｂに示した“Two subcarrier”のときのLogic 1の部分である。このLogic 1の部分は、18.58μsのfc/28（=484.28kHz）のパルス９個分の部分ｃと、18.88μs のfc/32（=423.75kHz）のパルス８個分の部分ｄから構成される信号である。
【００６８】
検波部１０４は、fc/32の副搬送波成分のみを取り出すフィルタである。よって、図６Ｃに示したようなＳＯＦの信号が検波部１０４の処理対象とされた場合、fc/32の成分が抽出されるため、部分ｂと部分ｄが抽出されることになる。すなわち、図６Ｄに示したように、部分ｂと部分ｄの部分に振幅を有する信号が検波部１０４からＳＯＦ検出部１０６に供給される。
【００６９】
図６Ｄに示した波形は、図６Ａや図６Ｂに示した波形と同じく、部分ｂと部分ｄの部分に振幅を有する信号である。このような信号がＳＯＦ検出部１０６に供給された場合、ＳＯＦ検出部１０６は、ＳＯＦを検出したと判断し、ビット復号部１０５に対して復号のタイミングを指示する。
【００７０】
“Two subcarrier”の場合のＳＯＦの場合も、ＳＯＦ検出部１０６に供給される信号は、部分ａの部分は、振幅がない部分のため、実際には、部分ａの開始点を検出することは困難である。部分ｂの開始点、すなわち、部分ａの終了点から検出が可能となる。ＳＯＦ検出部１０６は、検波部１０４からの信号が部分ｂと部分ｃを有するか否かを判断することで、ＳＯＦを検出したか否かを判断する。
【００７１】
“Two subcarrier”の場合のＳＯＦの場合も、“One subcarrier”の場合のＳＯＦの場合と同じく、部分ｂの検出は、56.64μsの間、信号が継続して検出できたか否かを判断することで行うことができる。また部分ｃの検出は、部分ｂの終了点から部分ｄの開始点までの間に、18.58μsの無信号の区間を検出することで行うことができる。すなわちＳＯＦ検出部１０６は、検波部１０４からの信号が、56.64μsの信号の後に、18.58μsの無信号を検出したとき、ＳＯＦを検出したと判断する。
【００７２】
なお、受信される信号には、ノイズなどが重畳され、必ずしも、56.64μsの信号部分や、18.58μsの無信号部分を検出できるわけではない。また、18.58μsの無信号部分は、“One subcarrier”の場合のＳＯＦの部分ｃの18.88μsの無信号部分よりも、短い時間である。このようなことを考慮し、56.64μsを含む時間幅、例えば、58.64μsを中心とした所定の時間幅を設け、その所定の時間幅内に収まる信号部分（１と判断される値を有する信号部分）が検出された場合、部分ｂを検出したと判断されるようにしても良い。また同じく、18.58μsと18.88μsを含む時間幅、例えば、18.58μsと18.88μsのどちらかを中心とし、２つの時間を含む時間幅を設け、その所定の時間幅に収まる無信号部分（０と判断される値を有する信号部分）が検出された場合、部分ｃを検出したと判断されるようにしても良い。
【００７３】
このようにした場合、ＳＯＦ検出部１０６は、検波部１０４からの信号が、変調区間が第１の時間幅内である信号であり、その後、無変調区間が第２の時間幅内である信号を検出した場合、ＳＯＦを検出したと判断するように構成することができる。なお、第１の時間幅や、第２の時間幅は、上記した場合と同じく、ビット長を基準としても良い。
【００７４】
また、このようにすることで、“One subcarrier”の場合のＳＯＦが受信されたときと、“Two subcarrier”の場合のＳＯＦが受信されたときの、両方のＳＯＦを検出することが、“One Subcarrier”のＳＯＦと“Two Subcarrier“のＳＯＦの長さのわずかな違いを吸収した状態で、両方の信号に対応したＳＯＦの検出を行えるようになる。
【００７５】
このように、fc/32の副搬送波成分を取り出すフィルタを用いることで、“One subcarrier”と“Two subcarrier”のＳＯＦをそれぞれ検出することができる。このような簡便な構成でＳＯＦを検出することが可能となることで、回路規模を大きくすることなく、異なるＳＯＦを検出することが可能となる。また処理の軽減をはかることができ、消費電力の低減を実現することも可能となる。
【００７６】
＜第２の実施の形態においける復調部の構成および処理＞
図７は、第２の実施の形態における復調部３３の構成を示す図である。復調部３３は、検波部２０１、Ａ／Ｄ（Analog/Digital）変換部２０２、デジタルフィルタ２０３、デジタルフィルタ２０４、検波部２０５、検波部２０６、ビット復号部２０７、およびＳＯＦ検出部２０８を含む構成とされている。
【００７７】
図７に示した復調部３３は、図５に示した復調部３３と比較し、デジタルフィルタを２つ備え、それぞれのデジタルフィルタからの信号を処理する２つの検波部を備えている点が異なる。図７に示した復調部３３内の各部の処理は、図５に示した復調部３３内の各部の処理と基本的に同様であるため、適宜説明は省略する。
【００７８】
２つのデジタルフィルタ２０３とデジタルフィルタ２０４は、それぞれＡ／Ｄ変換部２０２からの信号を入力する。デジタルフィルタ２０３とデジタルフィルタ２０４は、異なる搬送波成分の信号を抽出するフィルタである。ここでは、デジタルフィルタ２０３は、fc/32の副搬送波成分を取り出すフィルタであり、デジタルフィルタ２０４は、fc/28の副搬送波成分を取り出すフィルタであり場合を例にあげて説明する。
【００７９】
デジタルフィルタ２０３により、fc/32の副搬送波成分以外の不要な周波数成分が除かれるため、信号の品質、例えば、Ｓ／Ｎ比を向上させることができる。同様に、デジタルフィルタ２０４により、fc/28の副搬送波成分以外の不要な周波数成分が除かれるため、信号の品質、例えば、Ｓ／Ｎ比を向上させることができる。
【００８０】
デジタルフィルタ２０３からの出力は、検波部２０５に供給され、デジタルフィルタ２０４からの出力は、検波部２０６に供給される。検波部２０５は、デジタルフィルタ２０３からの信号を同期検波または包絡線検波し、ビット復号部２０７とＳＯＦ検出部２０８に出力する。同様に検波部２０６は、デジタルフィルタ２０４からの信号を同期検波または包絡線検波し、ビット復号部２０７とＳＯＦ検出部２０８に出力する。
【００８１】
ＳＯＦ検出部２０８は、検波部２０５と検波部２０６からの信号を用いて、ＳＯＦを示す信号であるか否かを判断する。この判断については、図８と図９を参照して後述する。ＳＯＦ検出部２０８によりＳＯＦが検出された場合、その検出されたＳＯＦのタイミングを基準として、ビット復号部２０７は、検波部２０５からの信号のビット復号を行う。
【００８２】
ここで、図８を参照してＳＯＦ検出部２０８におけるＳＯＦの検出について説明する。図８Ａは、復調部３３に入力された“One subcarrier”の場合のＳＯＦの波形を示す。図８Ｂは、検波部２０５からＳＯＦ検出部２０８に供給される信号の波形を示す。図８Ｃは、検波部２０６からＳＯＦ検出部２０８に供給される信号の波形を示す。図８Ｄは、ＳＯＦ検出部２０８が、供給された２つの信号の差分を演算した結果、生成される信号の波形を示す。
【００８３】
図８Ａに示した波形は、図６Ａに示した波形と同じく、“One subcarrier”の場合のＳＯＦであり、説明のために部分ａ乃至ｄの４つの部分に分けてある。
【００８４】
“One subcarrier”の場合のＳＯＦは、56.56μsの非変調時間部分である部分ａ、56.64μs のfc/32（=423.75kHz）のパルス２４個分の部分ｂ、18.88μs の非変調時間の部分ｃ、および18.88μs のfc/32（=423.75kHz）のパルス８個分の部分ｄの部分から構成される。
【００８５】
図６Ａ、図６Ｂを参照して説明した場合と同じく、検波部２０５は、fc/32の副搬送波成分のみを取り出すフィルタであるため、図８Ａに示したようなＳＯＦの信号が処理対象とされた場合、部分ｂと部分ｄが抽出される。すなわち、図８Ｂに示したように、部分ｂと部分ｄの部分に振幅を有する信号が検波部２０５からＳＯＦ検出部２０８に供給される。
【００８６】
検波部２０６は、fc/28の副搬送波成分のみを取り出すフィルタである。よって、図８Ａに示したようなＳＯＦの信号が検波部２０６の処理対象とされた場合、fc/28の成分はないため、部分ａ乃至部分ｄのいずれも抽出されないことになる。すなわち、図８Ｃに示したような、無信号が検波部２０６からＳＯＦ検出部２０８に供給される。
【００８７】
ＳＯＦ検出部２０８には、検波部２０５から図８Ｂに示したような信号が供給され、検波部２０６から図８Ｃに示したような信号が供給される。ＳＯＦ検出部２０８は、供給される２つの信号の差分を演算し、新たな信号を生成する。図８Ｂに示した信号と図８Ｃに示した信号の差分を演算した場合(図８Ｂに示した信号から、図８Ｃに示した信号を減算した場合)、図８Ｂに示した信号成分が残ることになるため、図８Ｂに示した信号と同一の信号が生成されることになる。すなわち、ＳＯＦ検出部２０８は、図８Ｄに示したような信号を取得する。
【００８８】
図８Ｄに示した波形は、図８Ａに示した波形と同じく、部分ｂと部分ｄの部分に振幅を有する（１と判断される値を有する）信号である。このような信号が供給された場合、ＳＯＦ検出部２０８は、ＳＯＦを検出したと判断し、ビット復号部２０７に対して復号のタイミングを指示する。
【００８９】
図６を参照して説明したように、部分ａの部分は、非変調な部分であり、振幅がないため、実際には、部分ａの開始点を検出することは困難である。部分ｂの開始点、すなわち、部分ａの終了点から検出が可能となる。ＳＯＦ検出部２０８は、検波部２０５からの信号が部分ｂと部分ｃを有するか否かを判断することで、ＳＯＦを検出したか否かを判断する。
【００９０】
このように、２つのデジタルフィルタと検波部を用いた場合も、ＳＯＦ検出部２０８は、例えば、56.64μsを含む時間幅を設け、その所定の時間幅内に収まる信号部分が検出された場合、部分ｂを検出したと判断されるように構成することができる。また同じく、18.88μsを含む時間幅を設け、その所定の時間幅に収まる無信号部分が検出された場合、部分ｃを検出したと判断されるように構成することができる。
【００９１】
このようにした場合、ＳＯＦ検出部２０８は、検波部２０５と検波部２０６からの信号から生成された信号が、変調区間が、第１の時間幅内である信号であり、その後、無変調区間が、第２の時間幅内である信号を検出した場合、ＳＯＦを検出したと判断するように構成することができる。なお、第１の時間（第１の時間幅）や、第２の時間（第２の時間幅）は、上記した場合と同じく、ビット長を基準としても良い。
【００９２】
図９Ａは、復調部３３に入力された“Two subcarrier”の場合のＳＯＦの波形を示す。図９Ｂは、検波部２０５からＳＯＦ検出部２０８に供給される信号の波形を示す。図９Ｃは、検波部２０６からＳＯＦ検出部２０８に供給される信号の波形を示す。図９Ｄは、ＳＯＦ検出部２０８が、供給された２つの信号の差分を演算した結果、生成される信号の波形を示す。
【００９３】
図９Ａに示した波形は、図６Ｃに示した波形と同じく、“Two subcarrier”の場合のＳＯＦであり、説明のために部分ａ乃至ｄの４つの部分に分けてある。
【００９４】
“Two subcarrier”の場合のＳＯＦは、55.75μsのfc/28（=484.28kHz）の部分ａ、56.64μs のfc/32（=423.75kHz）のパルス２４個分の部分ｂ、18.58μsのfc/28（=484.28kHz）のパルス９個分の部分ｃ、および18.88μs のfc/32（=423.75kHz）のパルス８個分の部分ｄから構成される信号である。
【００９５】
図６Ｃ、図６Ｄを参照して説明した場合と同じく、検波部２０５は、fc/32の副搬送波成分のみを取り出すフィルタであるため、図９Ａに示したようなＳＯＦの信号が処理対象とされた場合、部分ｂと部分ｄを抽出する。すなわち、図９Ｂに示したように、部分ｂと部分ｄの部分に振幅を有する信号が検波部２０５からＳＯＦ検出部２０８に供給される。
【００９６】
検波部２０６は、fc/28の副搬送波成分のみを取り出すフィルタである。よって、図９Ａに示したようなＳＯＦの信号が検波部２０６の処理対象とされた場合、fc/28の成分が抽出されるため、部分ａと部分ｃが抽出される。すなわち、図９Ｃに示したように、部分ａと部分ｃの部分に振幅を有する信号が検波部２０６からＳＯＦ検出部２０８に供給される。
【００９７】
ＳＯＦ検出部２０８には、検波部２０５から図９Ｂに示したような信号が供給され、検波部２０６から図９Ｃに示したような信号が供給される。ＳＯＦ検出部２０８は、供給される２つの信号の差分を演算し、新たな信号を生成する。図９Ｂに示した信号と図９Ｃに示した信号の差分を演算した場合（図９Ｂに示した信号から図９Ｃに示した信号を減算した場合）、部分ａと部分ｃの部分は、マイナスの値の振幅を有する信号となり、部分ｂと部分ｄの部分は、プラスの値の振幅を有する信号となる。すなわち、ＳＯＦ検出部２０８は、図９Ｄに示したような信号を取得する。
【００９８】
図９Ｄに示したような信号から、ＳＯＦを受信したか否かを判断するようにした場合、例えば、部分ｂと部分ｃを有するか否かを判断することで、図８を参照して説明した“One Subcarrier”のＳＯＦの検出と同じように、“Two Subcarrier”のＳＯＦを検出することができる。この場合、例えば、マイナスの振幅は０と扱い、第１の時間幅内の時間だけ、継続して変調された信号を検出し（部分ｂの検出）、その後、第２の時間幅内の時間だけ無信号（０の部分）を検出（部分ｃの検出）した場合、ＳＯＦを検出したと判断するように構成することができる。
【００９９】
なお、ＳＯＦ検出部２０８またはＳＯＦ検出部２０８からの信号を供給されるビット復号部２０７の少なくともどちらか一方は、図９Ｄに示したような信号が得られた場合、その信号の最大値と最小値を用いた１ビット信号として扱う。すなわち、最大値と最小値の平均値が境にされ、例えば、平均値以下の値は、０として扱われ、平均値以上の値は１として扱われる。
【０１００】
このような場合、図９Ｄに示した信号の最大値と最小値の平均値は０となり、部分ａ、部分ｃのマイナスの値として図示してある部分の信号は、０の値の信号として扱われ、部分ｂ、部分ｄのプラスの値として図示してある部分の信号は、１の値の信号として扱われる。よって、１の値を有する部分が、第１の時間幅内の時間だけ継続し、その後、０の値を有する部分が、第２の時間幅内の時間だけ継続したことが検出された場合、ＳＯＦが検出されたとして処理される。
【０１０１】
このようにした場合、ＳＯＦ検出部２０８が、図９Ｄに示したような信号を生成し、１または０の値を有する区間の時間を検出し、その検出結果からＳＯＦを検出し、ＳＯＦを検出したときに、ビット復号部２０７に復号のタイミングを指示するように構成しても良い。または、ＳＯＦ検出部２０８は、図９Ｄに示したような信号を生成し、ビット復号部２０７に供給し、ビット復号部２０７が、１または０の値を有する区間の時間を検出し、その検出結果からＳＯＦを検出するように構成することも可能である。
【０１０２】
再度、図８Ｄを参照する。図８Ｄは、“One Subcarrier“のときのＳＯＦが受信されたときのＳＯＦ検出部２０８で生成される信号を表している。図８Ｄに示した信号のうち、部分ａと部分ｃは、０の値を有する信号部分であり、部分ｂと部分ｄは、１の値を有する信号部分である。ＳＯＦの検出は、１の値を有する部分（部分ｂ）が、第１の時間幅内の時間だけ継続し、その後、０の値を有する部分（部分ｃ）が、第２の時間幅内の時間だけ継続したことが検出されたか否かにより行うことができる。このような検出によれば、“One Subcarrier”のときのＳＯＦと“Two Subcarrier”のときのＳＯＦを、２つのデジタルフィルタ（検波部）からの信号の差分から得られる信号を用いて、同一の検出方法で検出することができる。
【０１０３】
この場合も、第１の時間幅や第２の時間幅は、それぞれ、56.64μｓを含む所定の時間幅を有する時間と18.88μｓを含む所定の時間幅を有する時間とすることができる。
【０１０４】
このようにすることで、“One subcarrier”の場合のＳＯＦが受信されたときと、“Two subcarrier”の場合のＳＯＦが受信されたときの、両方のＳＯＦを検出することができ、両方の信号に対応したＳＯＦの検出を行えるようになる。
【０１０５】
このような簡便な構成でＳＯＦを検出することが可能となることで、回路規模を大きくすることなく、異なるＳＯＦを検出することが可能となる。また処理の軽減をはかることができ、消費電力の低減を実現することも可能となる。
【０１０６】
＜第３の実施の形態における復調部の構成および処理＞
図１０は、第３の実施の形態における復調部３３の構成を示す図である。復調部３３は、検波部３０１、Ａ／Ｄ（Analog/Digital）変換部３０２、デジタルフィルタ３０３、デジタルフィルタ３０４、検波部３０５、検波部３０６、ビット復号部３０７、およびＳＯＦ検出部３０８を含む構成とされている。
【０１０７】
図１０に示した復調部３３は、図７に示した復調部３３と同様の構成を有するが、デジタルフィルタが抽出する信号が異なる図１０に示した復調部３３内の各部の処理は、図７に示した復調部３３内の各部の処理と基本的に同様であるため、適宜説明は省略する。
【０１０８】
２つのデジタルフィルタ３０３とデジタルフィルタ３０４は、それぞれＡ／Ｄ変換部３０２からの信号を入力する。デジタルフィルタ３０３とデジタルフィルタ３０４は、異なる搬送波成分の信号を抽出するフィルタである。ここでは、デジタルフィルタ３０３は、fc/32の副搬送波成分を除去し、その他の成分を抽出するフィルタであり、デジタルフィルタ３０４は、fc/28の副搬送波成分を除去し、その他の成分を抽出するフィルタであり場合を例にあげて説明する。
【０１０９】
デジタルフィルタ３０３により、fc/32の副搬送波成分が除去されるため、フィルタの過渡応答特性を向上させることができる。同様に、デジタルフィルタ３０４により、fc/28の副搬送波成分が除去されるため、フィルタの過渡応答特性を向上させることができる。
【０１１０】
デジタルフィルタ３０３からの出力は、検波部３０５に供給され、デジタルフィルタ３０４からの出力は、検波部３０６に供給される。検波部３０５は、デジタルフィルタ３０３からの信号を同期検波または包絡線検波し、ビット復号部３０７とＳＯＦ検出部３０８に出力する。同様に検波部３０６は、デジタルフィルタ３０４からの信号を同期検波または包絡線検波し、ビット復号部３０７とＳＯＦ検出部３０８に出力する。
【０１１１】
ＳＯＦ検出部３０８は、検波部３０５と検波部３０６からの信号を用いて、ＳＯＦを示す信号であるか否かを判断する。この判断については、図１１と図１２を参照して後述する。ＳＯＦ検出部３０８によりＳＯＦが検出された場合、その検出されたＳＯＦのタイミングを基準として、ビット復号部３０７は、検波部３０５からの信号のビット復号を行う。
【０１１２】
ここで、図１１を参照してＳＯＦ検出部３０８におけるＳＯＦの検出について説明する。図１１Ａは、復調部３３に入力された“One subcarrier”の場合のＳＯＦの波形を示す。図１１Ｂは、検波部３０５からＳＯＦ検出部３０８に供給される信号の波形を示す。図１１Ｃは、検波部３０６からＳＯＦ検出部３０８に供給される信号の波形を示す。図１１Ｄは、ＳＯＦ検出部３０８が、供給された２つの信号の差分を演算した結果、生成される信号の波形を示す。
【０１１３】
図１１Ａに示した波形は、図６Ａに示した波形と同じく、“One subcarrier”の場合のＳＯＦであり、56.56μsの非変調時間部分である部分ａ、56.64μs のfc/32（=423.75kHz）のパルス２４個分の部分ｂ、18.88μs の非変調時間の部分ｃ、および18.88μs のfc/32（=423.75kHz）のパルス８個分の部分ｄの部分から構成される。
【０１１４】
検波部３０５は、fc/32の副搬送波成分を除去するフィルタである。よって、図１１Ａに示したようなＳＯＦの信号が検波部３０６の処理対象とされた場合、非変調の部分か、fc/32の成分の部分しかないため、部分ａ乃至部分ｄのいずれも抽出されないことになる。すなわち、図１１Ｂに示したような、無信号が検波部３０６からＳＯＦ検出部３０８に供給される。
【０１１５】
検波部３０６は、fc/28の副搬送波成分を除去するフィルタであるため、図１１Ａに示したようなＳＯＦの信号が処理対象とされた場合、部分ｂと部分ｄが抽出される。すなわち、図１１Ｃに示したように、部分ｂと部分ｄの部分に振幅を有する信号が検波部３０６からＳＯＦ検出部３０８に供給される。
【０１１６】
ＳＯＦ検出部３０８には、検波部３０５から図１１Ｂに示したような信号が供給され、検波部３０６から図１１Ｃに示したような信号が供給される。ＳＯＦ検出部３０８は、供給される２つの信号の差分を演算し、新たな信号を生成する。図１１Ｂに示した信号と図１１Ｃに示した信号の差分を演算した場合(図１１Ｂに示した信号から、図１１Ｃに示した信号を減算した場合)、図１１Ｃに示した信号成分がマイナスの値として残ることになる。すなわち、ＳＯＦ検出部３０８は、図１１Ｄに示したような信号を取得する。
【０１１７】
図１１Ｄに示した波形は、図１１Ａに示した波形と振幅の値は異なるが、同じ形の波形であり、部分ｂと部分ｄの部分に振幅を有する信号である。また図示はしないが、図１１Ｃに示した信号から図１１Ｂに示した信号を減算するようにした場合、部分ａと部分ｃは無信号区間となり、部分ｂと部分ｄはプラスの信号区間となる。このような信号は、図１１Ａに示した信号と同一の信号となる。このような信号が供給された場合、ＳＯＦ検出部３０８は、ＳＯＦを検出したと判断し、ビット復号部３０７に対して復号のタイミングを指示する。
【０１１８】
ＳＯＦ検出部３０８は、検波部３０５からの信号が部分ｂと部分ｃを有するか否かを判断することで、ＳＯＦを検出したか否かを判断する。
【０１１９】
このように、２つのデジタルフィルタと検波部を用いた場合も、ＳＯＦ検出部３０８は、例えば、56.64μsを含む時間幅を設け、その所定の時間幅内に収まる信号部分が検出された場合、部分ｂを検出したと判断されるように構成することができる。また同じく、18.88μsを含む時間幅を設け、その所定の時間幅に収まる無信号部分が検出された場合、部分ｃを検出したと判断されるように構成することができる。
【０１２０】
このようにした場合、ＳＯＦ検出部３０８は、検波部３０５と検波部３０６からの信号から生成された信号が、変調区間が、第１の時間幅内である信号であり、その後、無変調区間が、第２の時間幅内である信号を検出した場合、ＳＯＦを検出したと判断するように構成することができる。なお、第１の時間幅や第２の時間幅は、上記した場合と同じく、ビット長を基準としても良い。
【０１２１】
図１２Ａは、復調部３３に入力された“Two subcarrier”の場合のＳＯＦの波形を示す。図１２Ｂは、検波部３０５からＳＯＦ検出部３０８に供給される信号の波形を示す。図１２Ｃは、検波部３０６からＳＯＦ検出部３０８に供給される信号の波形を示す。図１２Ｄは、ＳＯＦ検出部３０８が、供給された２つの信号の差分を演算した結果、生成される信号の波形を示す。
【０１２２】
図１２Ａに示した波形は、図６Ｃに示した波形と同じく、“Two subcarrier”の場合のＳＯＦであり、55.75μsのfc/28（=484.28kHz）の部分ａ、56.64μs のfc/32（=423.75kHz）のパルス２４個分の部分ｂ、18.58μsのfc/28（=484.28kHz）のパルス９個分の部分ｃ、および18.88μs のfc/32（=423.75kHz）のパルス８個分の部分ｄから構成される信号である。
【０１２３】
検波部３０５は、fc/32の副搬送波成分を除去するフィルタである。よって、図１２Ａに示したようなＳＯＦの信号が検波部３０５の処理対象とされた場合、fc/32の成分が除去され、その他の成分、この場合、fc/28の副搬送波成分抽出されるため、部分ａと部分ｃが抽出される。すなわち、図１２Ｂに示したように、部分ａと部分ｃの部分に振幅を有する信号が検波部３０５からＳＯＦ検出部３０８に供給される。
【０１２４】
検波部３０６は、fc/28の副搬送波成分を除去するフィルタである。よって、図１２Ａに示したようなＳＯＦの信号が検波部３０５の処理対象とされた場合、fc/28の成分が除去され、その他の成分、この場合、fc/32の副搬送波成分抽出されるため、部分ａと部分ｃが抽出される。すなわち、図１２Ｂに示したように、部分ｂと部分ｄの部分に振幅を有する信号が検波部３０６からＳＯＦ検出部３０８に供給される。
【０１２５】
ＳＯＦ検出部３０８には、検波部３０５から図１２Ｂに示したような信号が供給され、検波部３０６から図１２Ｃに示したような信号が供給される。ＳＯＦ検出部３０８は、供給される２つの信号の差分を演算し、新たな信号を生成する。図１２Ｂに示した信号と図１２Ｃに示した信号の差分を演算した場合（図１２Ｂに示した信号から図１２Ｃに示した信号を減算した場合）、部分ｂと部分ｄの部分は、マイナスの値の振幅を有する信号となり、部分aと部分ｃの部分は、プラスの値の振幅を有する信号となる。すなわち、ＳＯＦ検出部３０８は、図１２Ｄに示したような信号を取得する。
【０１２６】
図１２Ｄに示したような信号から、ＳＯＦを受信したか否かを判断するようにした場合、例えば、部分ｂと部分ｃを有するか否かを判断することで、図１１を参照して説明した“One Subcarrier”のＳＯＦの検出と同じように、“Two Subcarrier”のＳＯＦを検出することができる。この場合、例えば、プラスの振幅は０と扱い、第１の時間幅に含まれる第１の時間だけ、継続して信号を検出し（部分ｂの検出）、その後、第２の時間幅に含まれる第２の時間だけ無信号（０の部分）を検出（部分ｃの検出）した場合、ＳＯＦを検出したと判断するように構成することができる。
【０１２７】
または、プラスの振幅（部分ａに該当）が第１の時間継続した後に、マイナスの振幅(部分ｂに該当)が第２の時間継続した場合、ＳＯＦを検出したと判断するように構成することができる。または、連続する２つの部分、例えば、部分ｂと部分ｃを検出できたとき、ＳＯＦを検出したと判断するように構成することができる。
【０１２８】
なお、ＳＯＦ検出部３０８またはＳＯＦ検出部３０８からの信号を供給されるビット復号部３０７の少なくともどちらか一方は、図１２Ｄに示したような信号が得られた場合、その信号の最大値と最小値を用いた１ビット信号として扱う。すなわち、最大値と最小値の平均値が境にされ、例えば、平均値以下の値は、０として扱われ、平均値以上の値は１として扱われる。
【０１２９】
このような場合、図１２Ｄに示した信号の最大値と最小値の平均値は０となり、部分ａ、部分ｃのプラスの値として図示してある部分の信号は、１の値の信号として扱われ、部分ｂ、部分ｄのマイナスの値として図示してある部分の信号は、０の値の信号として扱われる。よって、０の値を有する部分が、第１の時間幅内の時間だけ継続し、その後、１の値を有する部分が、第２の時間幅内の時間だけ継続したことが検出された場合、ＳＯＦが検出されたとして処理される。
【０１３０】
このようにした場合、ＳＯＦ検出部３０８が、図１２Ｄに示したような信号を生成し、１または０の値を有する区間の時間を検出し、その検出結果からＳＯＦを検出し、ＳＯＦを検出したときに、ビット復号部３０７に復号のタイミングを指示するように構成しても良い。または、ＳＯＦ検出部３０８は、図９Ｄに示したような信号を生成し、ビット復号部３０７に供給し、ビット復号部３０７が、１または０の値を有する区間の時間を検出し、その検出結果からＳＯＦを検出するように構成することも可能である。
【０１３１】
再度、図１１Ｄを参照する。図１１Ｄは、“One Subcarrier“のときのＳＯＦが受信されたときのＳＯＦ検出部３０８で生成される信号を表している。図１１Ｄに示した信号のうち、部分ａと部分ｃは、１の値を有する信号部分であり、部分ｂと部分ｄは、０の値を有する信号部分である。ＳＯＦの検出は、０の値を有する部分（部分ｂ）が、第１の時間幅内の時間だけ継続し、その後、１の値を有する部分（部分ｃ）が、第２の時間幅内の時間だけ継続したことが検出されたか否かにより行うことができる。このような検出によれば、“One Subcarrier”のときのＳＯＦと“Two Subcarrier”のときのＳＯＦを、２つのデジタルフィルタ（検波部）からの信号の差分から得られる信号を用いて、同一の検出方法で検出することができる。  
【０１３２】
なおここでは、検波部３０５からの信号から検波部３０６の信号を減算するとして説明したが、検波部３０６からの信号から検波部３０５の信号を減算するようにしても良い。このようにした場合、上記したように、“One Subcarrier”のときのＳＯＦが処理された場合、図１１Ｃに示した信号から図１１Ｂに示した信号を減算することになり、部分ａと部分ｃは０の値として扱われる無信号区間となり、部分ｂと部分ｄは１の値として扱われるプラスの信号区間となる。このような信号は、図１１Ａに示した信号と同一の信号となる。よって、１の値として扱われる部分ｂと、０の値として扱われる部分ｃの部分を検出することで、ＳＯＦを検出することができる。
【０１３３】
また、“Two Subcarrier”のときのＳＯＦが処理された場合、図１２Ｃに示した信号から図１２Ｂに示した信号を減算することになり、部分ａと部分ｃは０の値と扱われる無信号区間となり、部分ｂと部分ｄは１の値として扱われるプラスの信号区間となる。このような信号は、図１１Ａに示した信号（図示していないが、図１１Ｄに示した信号に該当する信号）と扱い的には同一の信号となる。すなわち、１の値として扱われる部分ｂと、０の値として扱われる部分ｃの部分を検出することで、ＳＯＦを検出することができる。
【０１３４】
また、このようにした場合であっても、“One Subcarrier”のＳＯＦの検出と、“Two Subcarrier”のＳＯＦを同一の方法で検出することができる。
【０１３５】
この場合も、第１の時間や第２の時間は、それぞれ、56.64μｓを含む所定の時間幅を有する時間と18.88μｓを含む所定の時間幅を有する時間とすることができる。
【０１３６】
このようにすることで、“One subcarrier”の場合のＳＯＦが受信されたときと、“Two subcarrier”の場合のＳＯＦが受信されたときの、両方のＳＯＦを検出することができ、両方の信号に対応したＳＯＦの検出を行えるようになる。
【０１３７】
このような簡便な構成でＳＯＦを検出することが可能となることで、回路規模を大きくすることなく、異なるＳＯＦを検出することが可能となる。また処理の軽減をはかることができ、消費電力の低減を実現することも可能となる。
【０１３８】
第２の実施の形態と第３の実施の形態においては、２つのデジタルフィルタを用い、それらの２つのデジタルフィルタが、共に、所定の副搬送波成分を抽出または除去するフィルタである場合を例にあげて説明した。２つのデジタルフィルタを用いる場合、一方のデジタルフィルタは、所定の副搬送波成分を抽出するフィルタとし、他方のデジタルフィルタは、所定の副搬送波成分を除去するフィルタとすることも可能である。
【０１３９】
このようにした場合、２つのデジタルフィルタのそれぞれのデジタルフィルタから出力されるＳＯＦの信号は、共に同じ信号となる。ＳＯＦ検出部は、供給される２つの信号を加算し、生成された信号が、第１の時間だけ振幅を有する部分があり、その後に第２の時間だけ無信号の部分がある場合、ＳＯＦを検出したと判断するように構成することができる。
【０１４０】
このように、本技術を用いることで、回路規模を大きくすることなく、異なるＳＯＦを検出することが可能となる。また処理の軽減をはかることができ、消費電力の低減を実現することも可能となる。
【０１４１】
なお、本実施の形態においては、国際規格ISO/IEC15693における、fc/32の副搬送波のみを使う（１つのサブキャリを使用する）“One subcarrier”のＳＯＦと、fc/32およびfc/28の副搬送波を使う（２つのサブキャリアを使用する）“Two subcarriers”のＳＯＦの検出を例にあげて説明したが、本技術の適用は、この２つの信号の検出に限定を示すものではない。本技術は、異なる副搬送波を用いる信号の検出に適用することができる。
【０１４２】
＜記録媒体について＞
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０１４３】
図１３は、上述した一連の処理をプログラムにより実行するコンピュータのハードウエアの構成例を示すブロック図である。コンピュータにおいて、ＣＰＵ（Central Processing Unit）５０１、ＲＯＭ（Read Only Memory）５０２、ＲＡＭ（Random Access Memory）５０３は、バス５０４により相互に接続されている。バス５０４には、さらに、入出力インタフェース５０５が接続されている。入出力インタフェース５０５には、入力部５０６、出力部５０７、記憶部５０８、通信部５０９、およびドライブ５１０が接続されている。
【０１４４】
入力部５０６は、キーボード、マウス、マイクロフォンなどよりなる。出力部５０７は、ディスプレイ、スピーカなどよりなる。記憶部５０８は、ハードディスクや不揮発性のメモリなどよりなる。通信部５０９は、ネットワークインタフェースなどよりなる。ドライブ５１０は、磁気ディスク、光ディスク、光磁気ディスク、または半導体メモリなどのリムーバブルメディア５１１を駆動する。
【０１４５】
以上のように構成されるコンピュータでは、ＣＰＵ５０１が、例えば、記憶部５０８に記憶されているプログラムを、入出力インタフェース５０５およびバス５０４を介して、ＲＡＭ５０３にロードして実行することにより、上述した一連の処理が行われる。
【０１４６】
コンピュータ（ＣＰＵ５０１）が実行するプログラムは、例えば、パッケージメディア等としてのリムーバブルメディア５１１に記録して提供することができる。また、プログラムは、ローカルエリアネットワーク、インターネット、デジタル衛星放送といった、有線または無線の伝送媒体を介して提供することができる。
【０１４７】
コンピュータでは、プログラムは、リムーバブルメディア５１１をドライブ５１０に装着することにより、入出力インタフェース５０５を介して、記憶部５０８にインストールすることができる。また、プログラムは、有線または無線の伝送媒体を介して、通信部５０９で受信し、記憶部５０８にインストールすることができる。その他、プログラムは、ＲＯＭ５０２や記憶部５０８に、あらかじめインストールしておくことができる。
【０１４８】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１４９】
また、本明細書において、システムとは、複数の装置により構成される装置全体を表すものである。
【０１５０】
なお、本技術の実施の形態は、上述した実施の形態に限定されるものではなく、本技術の要旨を逸脱しない範囲において種々の変更が可能である。
【０１５１】
なお、本技術は以下のような構成も取ることができる。
【０１５２】
（１）
取得した信号から、所定の成分の信号を抽出する抽出部と、
前記抽出部により抽出された信号から、第１の時間の変調区間と第２の時間の無変調区間を検出したとき、復号のタイミングを決定する検出部と
を備える信号処理装置。
（２）
前記検出部は、国際規格ISO/IEC15693におけるＳＯＦ（Start Of Frame）を検出する
前記（１）に記載の信号処理装置。
（３）
前記抽出部は、搬送波磁界の周波数をfcとしたとき、fc/32の成分を抽出する
前記（１）または前記（２）に記載の信号処理装置。
（４）
前記抽出部は、搬送波磁界の周波数をfcとしたとき、fc/32の成分を抽出する第１の抽出部と、fc/28の成分を抽出する第２の抽出部を備え、
前記検出部は、前記第１の抽出部からの信号と前記第２の抽出部からの信号の差分からなる信号から、前記第１の時間の変調区間と前記第２の時間の無変調区間を検出する
前記(１)または前記（２）に記載の信号処理装置。
（５）
前記抽出部は、搬送波磁界の周波数をfcとしたとき、fc/32の成分を除去した信号を抽出する第１の抽出部と、fc/28の成分を除去した信号を抽出する第２の抽出部を備え、
前記検出部は、前記第１の抽出部からの信号と前記第２の抽出部からの信号の差分からなる信号から、前記第１の時間の変調区間と前記第２の時間の無変調区間を検出する
前記(１)または前記（２）に記載の信号処理装置。
（６）
前記第１の時間と前記第２の時間のうちの、少なくとも一方は、所定の時間幅を有し、その所定の時間幅内に、前記第１の時間または前記第２の時間が収まっている場合には、前記変調区間または前記無変調区間を検出したと処理する
前記(１)乃至（５）のいずれかに記載の信号処理装置。
（７）
取得した信号から、所定の成分の信号を抽出し、
抽出された信号から、第１の時間の変調区間と第２の時間の無変調区間を検出したとき、復号のタイミングを決定する
ステップを含む信号処理方法。
（８）
取得した信号から、所定の成分の信号を抽出し、
抽出された信号から、第１の時間の変調区間と第２の時間の無変調区間を検出したとき、復号のタイミングを決定する
ステップを含む処理を実行するコンピュータが読み取り可能なプログラムが記録されている記録媒体。
【符号の説明】
【０１５３】
１１  リーダ，  １２  ＲＦタグ，  ３１  アンテナ，  ３２  変調部，  ３３  復調部，  ３４  制御部，  ３５  記憶部，  ３６  出力部，  ４１  アンテナ，  ４２  電力発生部，  ４３  変調部，  ４４  復調部，  ４５  制御部，  ４６  記憶部，  １０１  検波部，  １０２  Ａ／Ｄ変換部，  １０３  デジタルフィルタ，  １０４  検波部，  １０５  ビット復号部，  １０６  ＳＯＦ検出部，  ２０１  検波部，  ２０２  Ａ／Ｄ変換部，  ２０３  デジタルフィルタ，  ２０４  デジタルフィルタ，  ２０５検波部，  ２０６  検波部，  ２０７  ビット復号部，  ２０８  ＳＯＦ検出部，  ３０１  検波部，  ３０２  Ａ／Ｄ変換部，  ３０３  デジタルフィルタ，  ３０４  デジタルフィルタ，  ３０５検波部，  ３０６  検波部，  ３０７  ビット復号部，  ３０８  ＳＯＦ検出部
【図１】
2014143629.tif 000003
【図２】
2014143629.tif 000004
【図３】
2014143629.tif 000005
【図４】
2014143629.tif 000006
【図５】
2014143629.tif 000007
【図６】
2014143629.tif 000008
【図７】
2014143629.tif 000009
【図８】
2014143629.tif 000010
【図９】
2014143629.tif 000011
【図１０】
2014143629.tif 000012
【図１１】
2014143629.tif 000013
【図１２】
2014143629.tif 000014
【図１３】
2014143629.tif 000015